(57)【特許請求の範囲】
【請求項１】
通信用のアンテナを支持するアンテナ支持柱であって、
複数のアルミニウム製パイプと、上記パイプ同士を接合する添接プレートと、上記パイプと添接プレートを固定するボルト及びナットとを具備し、
上記複数のパイプのうちの少なくとも１つは、同心円状の曲率半径を有する外周面と、接合部において上記曲率半径より大きい曲率半径の内側表面を有するアンテナ取付用の基準パイプであり、その他のパイプにおける接合部には、上記基準パイプの外周面及び内側表面と同一の曲率半径を有する外側表面及び内側表面を有し、上記添接プレートのパイプ当接面は、上記基準パイプの内側表面と同一の曲率半径を有する、ことを特徴とするアンテナ支持柱。
【請求項２】
請求項１記載のアンテナ支持柱において、
上記ボルトの頭部とパイプとの間に介在される座板を更に具備し、上記座板は、ボルト頭部側当接面が平坦状を有し、パイプ側当接面が上記基準パイプの外周面と同一の曲率半径を有する、ことを特徴とするアンテナ支持柱。
【請求項３】
通信用のアンテナを支持するアンテナ支持柱であって、
複数の同一径又は異径のアルミニウム製パイプと、上記パイプ同士を接合する添接プレートと、上記パイプと添接プレートを固定するボルト及びナットと、小径パイプと大径パイプの接合部に配置される内側スペーサ及び外側スペーサとを具備し、
上記複数のパイプのうちの少なくとも１つは、同心円状の曲率半径を有する外周面と、接合部において上記曲率半径より大きい曲率半径の内側表面を有するアンテナ取付用の基準パイプであり、その他のパイプにおける接合部には、上記基準パイプの外周面及び内側表面と同一の曲率半径を有する外側表面及び内側表面を有し、上記添接プレートのパイプ当接面は、上記基準パイプの内側表面と同一の曲率半径を有し、上記内側スペーサのパイプ当接面及び内側表面は、上記基準パイプの内側表面と同一の曲率半径を有し、上記外側スペーサのパイプ当接面は、上記基準パイプの外周面と同一の曲率半径を有する、ことを特徴とするアンテナ支持柱。
【請求項４】
請求項３記載のアンテナ支持柱において、
上記外側スペーサは、上記基準パイプの外周面と同一の曲率半径を有する外側表面を有し、上記ボルトの頭部とパイプとの間に介在される座板を更に具備し、上記座板は、ボルト頭部側当接面が平坦状を有し、パイプ側当接面が上記基準パイプの外周面と同一の曲率半径を有する、ことを特徴とするアンテナ支持柱。
【請求項５】
請求項１又は２記載のアンテナ支持柱において、
上記添接プレートは、狭隘開口状の溝を有するナット保持部を有し、上記ナット保持部にナットを回転阻止状態に保持してなる、ことを特徴とするアンテナ支持柱。
【請求項６】
請求項５記載のアンテナ支持柱において、
上記添接プレートに固設され、上記ナット保持部に保持されるナットを固定する固定部を有するナット押えを更に具備してなる、ことを特徴とするアンテナ支持柱。
【請求項７】
請求項１又は３記載のアンテナ支持柱において、
最上部に位置する基準パイプにおける頂部の開口部に、避雷針を設置するための避雷針受座を更に具備し、上記避雷針受座は、避雷針を載置する略ドーナツ状の受座本体と、この受座本体の下面に垂下される複数の取付脚とを具備し、かつ、各取付脚は、上記基準パイプの内側表面と同一の曲率半径の取付表面を有する、ことを特徴とするアンテナ支持柱。
【請求項８】
請求項１記載のアンテナ支持柱において、
上記パイプ及び添接プレートがアルミニウム製押出形材にて形成されている、ことを特徴とするアンテナ支持柱。
【請求項９】
請求項３記載のアンテナ支持柱において、
上記パイプ、添接プレート、内側スペーサ及び外側スペーサがアルミニウム製押出形材にて形成されている、ことを特徴とするアンテナ支持柱。
【請求項１０】
請求項２又は４記載のアンテナ支持柱において、
上記座板がアルミニウム製押出形材にて形成されている、ことを特徴とするアンテナ支持柱。
【請求項１１】
請求項６記載のアンテナ支持柱において、
上記ナット押えがアルミニウム製押出形材にて形成されている、ことを特徴とするアンテナ支持柱。
【発明の詳細な説明】
【技術分野】
【０００１】
この発明は、通信用のアンテナを例えば建物の屋上に支持するアンテナ支持柱に関するものである。
【背景技術】
【０００２】
従来のこの種のアンテナ支持柱として、例えば鋼管製の複数のパイプに設けたフランジ同士をボルト及びナットを用いて接合する構造のものが採用されている。
【０００３】
また、別のアンテナ支持柱として、ＦＲＰ製の複数のパイプに設けた継手用フランジ同士をボルト及びナットを用いて接合する構造のものが知られている（例えば、特許文献１参照）
【特許文献１】特開２００５−３１８０７７号公報（特許請求の範囲、段落番号００３９，００４１、図１，図２）
【発明の開示】
【発明が解決しようとする課題】
【０００４】
しかしながら、前者すなわち鋼管製の複数のパイプをボルト及びナットを用いて接合する構造においては、パイプにフランジを溶接して設けるため、溶接に手間がかかる上、接合面の垂直軸に対する直角度を出すために、溶接→平面切削→燐酸亜鉛処理又はショットブラストで地粗し等の多くの工程が必要であり、製造コストが嵩むという問題があった。また、隅肉溶接部から疲労亀裂が発生する可能性があった。
【０００５】
これに対して、後者すなわちＦＲＰ製パイプを用いるものは、鋼管製のものに比べて重量の削減を図ることができるが、継手用フランジはＦＲＰパイプの先端に圧入等によって取り付けるため、パイプの作製に手間を要するという問題がある。
【０００６】
この発明は、上記事情に鑑みてなされたのもので、軽量であって、容易にパイプ同士の接合を確実かつ強固にしたアンテナ支持柱を提供することを課題とする。
【課題を解決するための手段】
【０００７】
上記課題を解決するため、この発明は、通信用のアンテナを支持するアンテナ支持柱を前提とし、請求項１記載の発明は、  複数のアルミニウム製パイプと、上記パイプ同士を接合する添接プレートと、上記パイプと添接プレートを固定するボルト及びナットとを具備し、  上記複数のパイプのうちの少なくとも１つは、同心円状の曲率半径を有する外周面と、接合部において上記曲率半径より大きい曲率半径の内側表面を有するアンテナ取付用の基準パイプであり、その他のパイプにおける接合部には、上記基準パイプの外周面及び内側表面と同一の曲率半径を有する外側表面及び内側表面を有し、上記添接プレートのパイプ当接面は、上記基準パイプの内側表面と同一の曲率半径を有する、ことを特徴とする。この発明において、アルミニウムとはアルミニウム合金を含む意味である。
【０００８】
また、請求項３記載の発明は、  複数の同一径又は異径のアルミニウム製パイプと、上記パイプ同士を接合する添接プレートと、上記パイプと添接プレートを固定するボルト及びナットと、小径パイプと大径パイプの接合部に配置される内側スペーサ及び外側スペーサとを具備し、  上記複数のパイプのうちの少なくとも１つは、同心円状の曲率半径を有する外周面と、接合部において上記曲率半径より大きい曲率半径の内側表面を有するアンテナ取付用の基準パイプであり、その他のパイプにおける接合部には、上記基準パイプの外周面及び内側表面と同一の曲率半径を有する外側表面及び内側表面を有し、上記添接プレートのパイプ当接面は、上記基準パイプの内側表面と同一の曲率半径を有し、上記内側スペーサのパイプ当接面及び内側表面は、上記基準パイプの内側表面と同一の曲率半径を有し、上記外側スペーサのパイプ当接面は、上記基準パイプの外周面と同一の曲率半径を有する、ことを特徴とする。
【０００９】
請求項１記載の発明において、上記ボルトの頭部とパイプとの間に介在される座板を更に具備し、上記座板は、ボルト頭部側当接面が平坦状を有し、パイプ側当接面が上記基準パイプの外周面と同一の曲率半径を有する方が好ましい（請求項２）。
【００１０】
請求項３記載の発明において、上記外側スペーサは、上記基準パイプの外周面と同一の曲率半径を有する外側表面を有し、上記ボルトの頭部とパイプとの間に介在される座板を更に具備し、上記座板は、ボルト頭部側当接面が平坦状を有し、パイプ側当接面が上記基準パイプの外周面と同一の曲率半径を有する方が好ましい（請求項４）。
【００１１】
また、この発明において、上記添接プレートは、狭隘開口状の溝を有するナット保持部を有し、上記ナット保持部にナットを回転阻止状態に保持する方が好ましい（請求項５）。この場合、上記添接プレートに固設され、上記ナット保持部に保持されるナットを固定する固定部を有するナット押えを更に具備する方が更に好ましい（請求項６）。
【００１２】
また、最上部に位置する基準パイプにおける頂部の開口部に、避雷針を設置するための避雷針受座を更に具備し、上記避雷針受座は、避雷針を載置する略ドーナツ状の受座本体と、この受座本体の下面に垂下される複数の取付脚とを具備し、かつ、各取付脚は、上記基準パイプの内側表面と同一の曲率半径の取付表面を有するようにしてもよい（請求項７）。
【００１３】
また、上記パイプ、添接プレート、内側スペーサ、外側スペーサ、座板及びナット押えをアルミニウム製押出形材にて形成する方が好ましい（請求項８，９，１０，１１）。
【００１４】
請求項１記載の発明によれば、アンテナ取付用のアルミニウム製の基準パイプと、その他のアルミニウム製のパイプとの内側表面に添接プレートとを密着させた状態で、ボルト及びナットによって接合することができる。また、パイプの接合部は外側表面と内側表面が異なる曲率半径により肉厚に形成されるので、接合部に強度をもたせることができる。
【００１５】
請求項３記載の発明によれば、アンテナ取付用のアルミニウム製の基準パイプと、該基準パイプと異径のアルミニウム製のパイプとの内側表面に、直接又は内側スペーサを介して添接プレートを密着させ、また、小径のパイプの外側表面に外側スペーサを密着させた状態で、ボルト及びナットによって接合することができる。また、パイプの接合部は外側表面と内側表面が異なる曲率半径により肉厚に形成されるので、接合部に強度をもたせることができる。また、異径のパイプを内側スペーサ及び外側スペーサを介して添接プレートを密着させて接合することができるので、最上部に最小径の基準パイプを位置させ、その下部側に順次基準パイプより大径のパイプを位置させて支持柱を形成することができる。
【００１６】
請求項２，４記載の発明によれば、座板をボルト頭部とパイプの外側表面又はパイプに密着する外側スペーサに密着させた状態で、ボルトとナットを締結することができる。
【００１７】
請求項５記載の発明によれば、添接プレートに設けた狭隘開口状の溝を有するナット保持部にナットを回転阻止状態に保持することにより、閉断面でのボルトの外締めを容易にすることができる。この場合、添接プレートにナット押えを固設して、ナット保持部に保持されるナットを固定することにより、ナットの脱落を防止することができ、ボルトの締結を更に容易にすることができる（請求項６）。
【００１８】
請求項７記載の発明によれば、最上部に位置する基準パイプにおける頂部の開口部に取り付けられる避雷針受座は、避雷針を載置する略ドーナツ状の受座本体と、この受座本体の下面に垂下される複数の取付脚とを具備し、かつ、各取付脚は、基準パイプの内側表面と同一の曲率半径の取付表面を有するので、避雷針受座の取付脚を基準パイプの内側表面に密着させた状態で取り付けることができ、避雷針の設置を容易にすることができる。
【００１９】
請求項８，９，１０，１１記載の発明によれば、パイプ、添接プレート、内側スペーサ、外側スペーサ、座板及びナット押えをアルミニウム製押出形材にて形成することにより、アンテナ支持柱の構成部材を容易に作製することができると共に、各構成部材の寸法精度を高めることができる。
【発明の効果】
【００２０】
この発明によれば、次のような優れた効果が得られる。
【００２１】
（１）請求項１記載の発明によれば、アンテナ取付用のアルミニウム製の基準パイプと、その他のアルミニウム製のパイプとの内側表面に添接プレートとを密着させた状態で、しかも、肉厚に形成された接合部をボルト及びナットによって接合することができるので、支持柱を軽量にすることができ、容易にパイプ同士の接合を確実かつ強固にすることができる。この場合、座板をボルト頭部とパイプの外側表面に密着させた状態で、ボルトとナットを締結することにより、更に強固に接合することができる（請求項２）。
【００２２】
（２）請求項３記載の発明によれば、アンテナ取付用のアルミニウム製の基準パイプと、該基準パイプと異径のアルミニウム製のパイプとの内側表面に、直接又は内側スペーサを介して添接プレートを密着させ、また、小径のパイプの外側表面に外側スペーサを密着させた状態で、しかも、肉厚に形成された接合部をボルト及びナットによって接合することができるので、最上部に最小径の基準パイプを位置させ、その下部側に順次基準パイプより大径のパイプを位置させて支持柱を形成することができる。したがって、支持柱を軽量にすることができ、容易にパイプ同士の接合を確実かつ強固にすることができる。この場合、座板をボルト頭部とパイプに密着する外側スペーサに密着させた状態で、ボルトとナットを締結することにより、更に強固に接合することができる（請求項４）。
【００２３】
（３）請求項５記載の発明によれば、添接プレートに設けた狭隘開口状の溝を有するナット保持部にナットを回転阻止状態に保持することにより、上記（１），（２）に加えて、更に閉断面でのボルトの外締めを容易にすることができる。この場合、添接プレートにナット押えを固設して、ナット保持部に保持されるナットを固定することにより、ナットの脱落を防止することができ、ボルトの締結を更に容易にすることができる（請求項６）。
【００２４】
（４）請求項７記載の発明によれば、最上部に位置する基準パイプにおける頂部の開口部に取り付けられる避雷針受座は、該避雷針受座の取付脚を基準パイプの内側表面に密着させた状態で取り付けることができるので、上記（１），（２）に加えて、更に避雷針の設置を容易かつ確実にすることができる。
【００２５】
（５）請求項８，９，１０，１１記載の発明によれば、パイプ、添接プレート、内側スペーサ、外側スペーサ、座板及びナット押えをアルミニウム製押出形材にて形成することにより、上記（１）〜（４）に加えて、更にアンテナ支持柱の構成部材を容易に作製することができると共に、各構成部材の寸法精度を高めることができる。
【発明を実施するための最良の形態】
【００２６】
以下に、この発明の最良の実施形態を添付図面に基づいて詳細に説明する。
【００２７】
図１は、この発明に係るアンテナ支持柱の取付状態を示す概略側面図（ａ）、（ａ）のｉ−ｉ線，ii−ii線及びiii−iii線に沿う要部拡大断面図（ｂ）〜（ｄ）、図２は、図１のＩ部の断面図、図３は、図２のII−II線に沿う拡大断面図、図４は、図１のIII部断面図、図５は、図４のIV−IV線に沿う拡大断面図、図６は、図４のＶ−Ｖ線に沿う拡大断面図である。
【００２８】
上記アンテナ支持柱は、建物１の外壁２の屋上側に上部及び下部ブラケット５，５Ａを介して設置されている。この場合、アンテナ支持柱は、アンテナ３を取り付けるための最小径の基準パイプ１０が２本と、基準パイプ１０より大径の第１のパイプ２０が１本と、第１のパイプ２０より大径の第２のパイプ３０が、２本の３種類の計５本のアルミニウム製の押出形材にて形成されるパイプ部材からなり、これらパイプ１０，２０，３０を後述する添接プレート４０とボルト５０及びナット５１、あるいは、これら添接プレート４０、ボルト５０及びナット５１、内側スペーサ６０及び外側スペーサ７０や座板８０等を用いて接合することによって形成されている。なお、アンテナ支持柱の最上部に位置する基準パイプ１０の頂部には、避雷針受座９０を介して避雷針４が設置されている。
【００２９】
上記基準パイプ１０は、図３及び図１０（ａ）に示すように、同心円状の曲率半径Ｒ１（例えば、８２．５±０．５ｍｍ）を有する外周面１１と、円周上の例えば５箇所に設けられた接合部１３において曲率半径Ｒ１より大きい曲率半径Ｒ２（例えば、９９±０．５ｍｍ）の内側表面１２を有している。
【００３０】
このように基準パイプ１０の外周面１１を同心円状の曲率半径Ｒ１つまり真円（直径：１６５±１．０ｍｍ）にすることにより、３６０度の全範囲に渡って自由にアンテナ３を取り付けることができる。なお、アンテナ３は、ブラケット３ａを介して基準パイプ１０の３６０度の全範囲に取り付けることができる。
【００３１】
また、基準パイプ１０の接合部１３において、内側表面１２を曲率半径Ｒ１より大きい曲率半径Ｒ２とすることにより、接合部１３の肉厚をその他の部分より厚くすることができ、接合部１３に強度をもたせることができる。
【００３２】
上記第１のパイプ２０は、図５及び図１０（ｂ）に示すように、基準パイプ１０より若干大径（例えば、直径約１９２．５±１．０ｍｍ）に形成されており、円周上の５箇所に設けられた接合部２３には、基準パイプ１０の外周面１１と同一の曲率半径Ｒ１を有する外側表面２１が設けられると共に、基準パイプ１０の内側表面１２と同一の曲率半径Ｒ２を有する内側表面２２が設けられている。
【００３３】
また、上記第２のパイプ３０は、図６及び図１０（ｃ）に示すように、第１のパイプ２０より若干大径（例えば、直径約２２０±１．０ｍｍ）に形成されており、円周上の５箇所に設けられた接合部３３には、第１のパイプ２０と同様に、基準パイプ１０の外周面１１と同一の曲率半径Ｒ１を有する外側表面３１が設けられると共に、基準パイプ１０の内側表面１２と同一の曲率半径Ｒ２を有する内側表面３２が設けられている。
【００３４】
一方、上記のように形成される基準パイプ１０、第１のパイプ２０及び第２のパイプ３０を接合する添接プレート４０は、図２ないし図６，図１１及び図１２に示すように、基準パイプ１０の内側表面１２と同一の曲率半径Ｒ２のパイプ当接面４１を有するプレート本体４２と、このプレート本体４２のパイプ当接面４１と反対側面に立設される狭隘開口状の溝４３を有するナット保持部４４とを有するアルミニウム製押出形材にて形成されており、ナット保持部４４にナット５１を回転阻止状態に保持している。この場合、ナット５１に一体に設けられたフランジ部５１ａが溝４３内に摺動自在に挿入され、ナット５１の基部が溝の狭隘開口部４３ａ内に回転阻止された状態で挿入されており、プレート本体４２に設けられた取付孔４２ａに合致し得るようになっている。
【００３５】
また、ナット５１は、添接プレート４０に固設されるナット押え４５によって、溝４３に沿う方向の移動が阻止（固定）されている。この場合、ナット押え４５は、図１１及び図１３に示すように、帯状の基板４６と、この基板４６の一側面から突出されて、添接プレート４０の溝４３内に挿入される例えば４個のナット固定部４７を有している。また、ナット押え４５における両端部のナット固定部４７の隣接部には中空状の取付部４８が設けられており、この取付部４８の底部には取付孔４８ａが設けられ、この取付孔４８ａと対向する基板４６には例えばドライバ等の工具の挿入孔４８ｂが設けられている。このように構成されるナット押え４５は、アルミニウム製の押出形材にて形成されている。
【００３６】
上記のように構成されるナット押え４５を用いてナット５１を固定するには、予め添接プレート４０のナット保持部４４内にナット５１を挿入して保持した状態で、ナット押え４５のナット固定部４７をナット保持部４４の溝４３内に挿入してナット５１の溝４３に沿う方向の移動を阻止した状態で、挿入孔４８ｂを介して取付孔４８ａに挿入される固定ねじ４９をドライバ等の工具によって添接プレート４０のプレート本体４２にねじ止め（固設）する。これにより、添接プレート４０にナット５１を固定した状態で、添接プレート４０とナット押え４５を組み付けることができる。
【００３７】
また、上記内側スペーサ６０は、図１４（ａ）に示すように、外側のパイプ当接面６１と内側表面６２が、基準パイプ１０の内側表面１２と同一の曲率半径Ｒ２を有している。なお、内側スペーサ６０には、ボルト５０を貫通する貫通孔６３が設けられている。また、外側スペーサ７０は、図１４（ｂ）に示すように、内側のパイプ当接面７１と外側表面７２が、基準パイプ１０の外周面１１と同一の曲率半径Ｒ１を有している。なお、外側スペーサ７０には、ボルト５０を貫通する貫通孔７３が設けられている。上記内側スペーサ６０及び外側スペーサ７０は、それぞれアルミニウム製押出形材にて形成されている。
【００３８】
また、上記ボルト５０の頭部５０ａとパイプ１０，２０，３０の間に介在される座板８０は、図１５に示すように、ボルト頭部５０ａ側の当接面８１が平坦状を有し、パイプ側当接面８２が基準パイプ１０の外周面１１と同一の曲率半径Ｒ１を有している。また、座板８０には、ボルト５０の貫通孔８３が設けられている。このように形成される座板８０は、アルミニウム製押出形材にて形成されている。
【００３９】
次に、上記パイプ１０，２０，３０の接合構造について説明する。
【００４０】
＜基準パイプ同士の接合＞
同一径の基準パイプ１０同士を接合する場合は、まず、予め添接プレート４０にナット５１を固定した状態で、添接プレート４０とナット押え４５を組み付ける。
【００４１】
次に、添接プレート４０を接合する一方の基準パイプ１０の端部から挿入して添接プレート４０の取付孔４２ａを基準パイプ１０に予め設けられた取付孔１４に合致させると共に、基準パイプ１０の接合部１３の外周面１１に座板８０のパイプ側当接面８２を当接させる。
【００４２】
このようにして、５箇所の接合部１３に添接プレート４０と座板８０を突出した状態で取り付けた後、例えばＥＰＤＭ（エチレン・プロピレン共重合体）等の合成ゴム製のパッキン１００を介して他方の基準パイプ１０を一方の基準パイプ１０に当接させる。この状態で、外側からボルト５０を、座板８０の貫通孔８３，他方の基準パイプ１０に予め設けられた取付孔１４及び添接プレート４０の取付孔４２ａに貫通してナット５１に締結する。
【００４３】
上記のようにして組み付けることにより、基準パイプ１０の内側表面１２と添接プレート４０のパイプ当接面４１とが密着すると共に、基準パイプ１０の外周面１１と座板８０のパイプ側当接面８２が密着し、かつ、座板８０のボルト頭部側当接面８１とボルト５０の頭部５０ａが密着した状態で、同一径の基準パイプ１０同士が接合される（図２及び図３参照）。
【００４４】
＜異径パイプの接合＞
異径のパイプ例えば基準パイプ１０と第１のパイプ２０、あるいは、第１のパイプ２０と第２のパイプ３０を接合する場合は、基準パイプ１０と第１のパイプ２０の接合の場合を例にして説明すると、まず、予め添接プレート４０にナット５１を固定した状態で、添接プレート４０とナット押え４５を組み付ける。
【００４５】
次に、接合する一方のパイプ例えば第１のパイプ２０の端部から内方に内側スペーサ６０を挿入して、内側スペーサ６０のパイプ当接面６１を第１のパイプ２０の内側表面２２に当接し、内側スペーサ６０の貫通孔６３と第１のパイプ２０に予め設けられた取付孔２４を合致させた状態で、第１のパイプ２０の端部から添接プレート４０を挿入して、添接プレート４０の取付孔４２ａを取付孔２４に合致させると共に、第１のパイプ２０の接合部２３の外側表面２１に座板８０のパイプ側当接面８２を当接させる。この状態で、外側からボルト５０を、座板８０の貫通孔８３，第１のパイプ２０の取付孔２４，添接プレート４０の取付孔４２ａ内に挿入し、ナット５１に締結して、第１のパイプ２０に添接プレート４０と座板８０を突出した状態に固定する。
【００４６】
このようにして、第１のパイプ２０の５箇所の接合部２３に添接プレート４０と座板８０を取り付けた後、上記合成ゴム製のパッキン１００を介して基準パイプ１０を第１のパイプ２０に当接させる。この際、基準パイプ１０と座板８０の間に外側スペーサ７０を挿入して、それぞれ同一の曲率半径Ｒ１を有する外側スペーサ７０のパイプ当接面７１を基準パイプ１０の外周面１１に当接すると共に、外側表面７２を座板８０のパイプ側当接面８２に当接する。そして、この状態で、外側からボルト５０を、座板８０の貫通孔８３，外側スペーサ７０の貫通孔７３，基準パイプ１０の取付孔１４及び添接プレート４０の取付孔４２ａに貫通してナット５１に締結する。
【００４７】
上記のようにして組み付けることにより、添接プレート４０のパイプ当接面４１が基準パイプ１０の内側表面１２及び内側スペーサ６０の内側表面６２に密着すると共に、座板８０のパイプ側当接面８２が外側スペーサ７０の外側表面７２と第１のパイプ２０の外側表面２１に密着し、かつ、座板８０のボルト頭部側当接面８１とボルト５０の頭部５０ａが密着した状態で、基準パイプ１０と第１のパイプ２０が接合される（図４ないし図６参照）。
【００４８】
なお、第１のパイプ２０と第２のパイプ３０を接合する場合は、第１のパイプ２０の外側表面２１に外側スペーサ７０のパイプ当接面７１を密接し、第２のパイプ３０の内側表面３２に内側スペーサ６０のパイプ当接面６１を密接した状態で、上記と同様に、ボルト５０とナット５１を締結することにより、第１のパイプ２０と第２のパイプ３０を密着させた状態で接合することができる。
【００４９】
上記のようにして基準パイプ１０、第１のパイプ２０及び第２のパイプ３０を接合することによってアンテナ支持体が組み立てられる。なお、このアンテナ支持柱の組立は工場で行うことができる。
【００５０】
また、最上部に位置する基準パイプ１０の頂部の開口部には、避雷針を設置するための避雷針受座９０が取り付けられる。この避雷針受座９０は、図７に示すように、避雷針４を載置する略ドーナツ状の受座本体９１と、この受座本体９１の下面に垂下される複数例えば５個の取付脚９２とを具備し、かつ、各取付脚９２は、基準パイプ１０の内側表面１２と同一の曲率半径Ｒ２の取付表面９３を有している。なお、取付脚９２には固定ボルト９５の貫通孔９４が設けられている。
【００５１】
上記のように形成される避雷針受座９０は、例えばアルミニウム製鋳物にて形成されている。この避雷針受座９０を基準パイプ１０の頂部の開口部に取り付けるには、避雷針受座９０の取付脚９２を基準パイプ１０の開口部内に挿入して、取付脚９２の取付表面９３を基準パイプ１０の内側表面１２に密接した状態で、基準パイプ１０の内方側から固定ボルト９５を、取付脚９２の貫通孔９４及び基準パイプ１０に予め設けられた取付孔１４に貫通して基準パイプ１０の外側に配設された固定ナット９６に締結して、避雷針受座９０を固定することができる。このようにして取り付けられた避雷針受座９０の受座本体９１に避雷針４のフランジ部４ａを載置した状態で、連結ボルト４ｂと連結ナット４ｃを締結して避雷針４を取り付けることができる。
【００５２】
また、アンテナ支持柱を建物１に取り付けるには、図１に示すように、最下端部の第２のパイプ３０を上部ブラケット５及び下部ブラケット５Ａを用いて建物１の外壁２に固定する。
【００５３】
上部ブラケット５は、アルミニウム製押出形材にて形成されるパイプ保持体６と、このパイプ保持体６に両端が固定されるアルミニウム製のＵ形バンド７とで構成されている。この場合、パイプ保持体６は、図８に示すように、第２のパイプ３０の側面を保持する円弧状の保持面６ａを有する保持片６ｂと、この保持片６ｂの両端に直交状に延在する一対の側壁片６ｃと、これら側壁片６ｃの基端から外側に直交状に延在するフランジ片６ｄと、両側壁片６ｃの基端部と保持片６ｂの保持面６ａの下面とを連結する一対の補強片６ｅと、両補強片６ｅの中間部を連結する補助補強片６ｆとで構成されている。なお、保持片６ｂにおける保持面６ａの端部側下面には、断面略Ｃ字状のビスポケット６ｇが設けられている。また、Ｕ形バンド７は、両端部に貫通孔７ａが設けられており、パイプ保持体６の側壁片６ｃに設けられた取付孔６ｈを介して貫通孔７ａを貫通する連結ボルト８ａにナット８ｂを締結することによって第２のパイプ３０の外側面を抱持した状態で固定される。
【００５４】
また、下部ブラケット５Ａは、図９に示すように、アルミニウム製押出形材にて形成されるパイプ保持体６Ａと、このパイプ保持体６Ａに両端が固定されるアルミニウム製のＵ形バンド７Ａと、パイプ保持体６Ａの下部に設けられて第２のパイプ３０の下端部を支持する支持部材９とで構成されている。この場合、パイプ保持体６Ａは、上部ブラケット５のパイプ保持体６と同様に構成されるので、同一符号を付して説明は省略する。また、Ｕ形バンド７Ａは、中間部に設けられた透孔７ｂに後述する連結ボルト８ｃを貫通する以外は、上部ブラケット５のＵ形バンド７と同様に構成されている。また、支持部材９は、図９（ｃ）に示すように、水平支持片９ａの両端下部に補強片９ｂを有すると共に、水平支持片９ａの中間部の下部に中間補強片９ｃを有するアルミニウム製押出形材にて形成されている。このように形成される支持部材９は、パイプ保持体６Ａに設けられたビスポケット６ｇを貫通する取付ボルト９ｄを、水平支持片９ａに設けられた貫通孔（図示せず）に貫通してナット９ｅを締結することによってパイプ保持体６Ａの下部に固定される。なお、支持部材９の先端側には、例えばアルミニウム製の小口蓋９ｆが被覆され、ビス９ｇによって固定されている。
【００５５】
上記のように構成される上部ブラケット５と下部ブラケット５Ａを用いて第２のパイプ３０を固定するには、まず、上部ブラケット５と下部ブラケット５Ａのフランジ片６ｄに設けられた貫通孔６ｉに、建物１の外壁２に植設されたアンカーボルト２００を貫通し、アンカーボルト２００に固定ナット＊を締結して、上部ブラケット５と下部ブラケット５Ａのパイプ保持体６，６Ａを垂直方向に適宜間隔をおいて配置する。次に、アンテナ支持柱の最下端部の第２のパイプ３０を両パイプ保持体６，６Ａの保持片６ｂの保持面６ａに当接させると共に、第２のパイプ３０の下端部を下部ブラケット５Ａの支持部材９上に載置する。この状態で、Ｕ形バンド７，７Ａをそれぞれ第２のパイプ３０の外側面に抱持するようにして、Ｕ形バンド７，７Ａの両端部を、連結ボルト８ａ及びナット８ｂを用いて上部ブラケット５と下部ブラケット５Ａのパイプ保持体６，６Ａに固定する。そして、Ｕ形バンド７Ａの中間部に設けられた透孔７ｂと第２のパイプ３０の対向する側壁に設けられた貫通孔３４に連結ボルト８ｃを貫通し、連結ボルト８ｃの突出部にナット８ｄを締結してＵ形バンド７Ａと第２のパイプ３０を固定する。
【００５６】
なお、上記実施形態では、基準パイプ１０，第１のパイプ２０及び第２のパイプ３０に設けられる接合部１３，２３，３３が５箇所である場合について説明したが、接合部１３，２３，３３は必ずしも５箇所である必要はなく、少なくとも複数例えば２箇所，３箇所あるいは４箇所であってもよい。
【００５７】
また、上記実施形態では、基準パイプ１０が２本、第１のパイプ２０が１本、第２のパイプ３０が２本の計５本のパイプを接合してアンテナ支持柱を構成する場合について説明したが、必ずしもこの構成である必要はなく、複数のうちの少なくとも１つのパイプがアンテナ３を取り付けるための基準パイプ１０であれば、任意の数のパイプ１０，２０，３０を接合してアンテナ支持柱を構成してもよい。
【図面の簡単な説明】
【００５８】
【図１】この発明に係るアンテナ支持柱の取付状態を示す概略側面図（ａ）、（ａ）のｉ−ｉ線に沿う要部拡大断面図（ｂ）、（ａ）のii−ii線に沿う要部拡大断面図（ｃ）及び（ａ）のiii−iii線に沿う要部拡大断面図（ｄ）である。
【図２】図１のＩ部の断面図である。
【図３】図２のII−II線に沿う拡大断面図である。
【図４】図１のIII部断面図である。
【図５】図４のIV−IV線に沿う拡大断面図である。
【図６】図４のＶ−Ｖ線に沿う拡大断面図である。
【図７】この発明における避雷針の取付部を示す断面図（ａ）及び（ａ）の一部を断面で示す平面図（ｂ）である。
【図８】上記アンテナ支持柱を建物外壁に取り付ける上部ブラケットを示す側面図（ａ）及び（ａ）のVI−VI線に沿う断面図（ｂ）である。
【図９】上記アンテナ支持柱を建物外壁に取り付ける下部ブラケットを示す側面図（ａ）、（ａ）のVII−VII線に沿う断面図（ｂ）及び下部ブラケットの支持部材を示す断面図（ｃ）である。
【図１０】この発明における異なる径のパイプを示す断面図である。
【図１１】この発明における添接プレートとナット押えの組立状態を示す断面図である。
【図１２】上記添接プレートの斜視図である。
【図１３】上記ナット押えの斜視図である。
【図１４】この発明における内側スペーサの断面図（ａ）及び外側スペーサの断面図（ｂ）である。
【図１５】この発明における座板の断面図である。
【符号の説明】
【００５９】
３  アンテナ
４  避雷針
１０  基準パイプ
１１  外周面
１２  内側表面
１３  接合部
２０  第１のパイプ
２１  外側表面
２２  内側表面
２３  接合部
３０  第２のパイプ
３１  外側表面
３２  内側表面
３３  接合部
４０  添接プレート
４１  パイプ当接面
４３  溝
４３ａ  狭隘開口部
４４  ナット保持部
４５  ナット押え
４７  ナット固定部
５０  ボルト
５０ａ  ボルト頭部
５１  ナット
６０  内側スペーサ
６１  パイプ当接面
６２  内側表面
７０  外側スペーサ
７１  パイプ当接面
７２  外側表面
８０  座板
８１  ボルト頭部当接面
８２  パイプ側当接面
９０  避雷針受座
９１  受座本体
９２  取付脚
９３  取付表面
Ｒ１，Ｒ２  曲率半径
【図１】
0004534071.tif 000002
【図２】
0004534071.tif 000003
【図３】
0004534071.tif 000004
【図４】
0004534071.tif 000005
【図５】
0004534071.tif 000006
【図６】
0004534071.tif 000007
【図７】
0004534071.tif 000008
【図８】
0004534071.tif 000009
【図９】
0004534071.tif 000010
【図１０】
0004534071.tif 000011
【図１１】
0004534071.tif 000012
【図１２】
0004534071.tif 000013
【図１３】
0004534071.tif 000014
【図１４】
0004534071.tif 000015
【図１５】
0004534071.tif 000016